(57)【要約】【課題】本発明の目的は、管に装着している時は、しっかり装着され、途中の運搬時に簡単に外れることなく、また、ある程度の管内を密閉することもできる管端保護用キャップを提供する。【解決手段】コップ型の管端保護用キャップであり、当該キャップの口部に相当する部位を管中心側、底部に相当する部位を管端側にして管の端部外側を覆うように装着する管端保護用キャップであって、以下の［１］〜［３］のいずれかの構造によって装着力が強く、かつ、取り外しが容易なことを特徴とする管端保護用キャップ。［１］キャップの周壁に予め口部から底部に向けて切れ目を入れておき、当該切れ目を覆うように周壁の外側にシールテープを貼る。［２］キャップの周壁に、その口部から底部にかけて人力で外側に引っ張ることによって切断可能なように当該部分の厚みを薄くする。［３］キャップの周壁に、その口部から底部にかけて人力で外側に引っ張ることによって切断可能なようにミシン目を入れる。【選択図】　　図１
2004144176.tif 000002
【特許請求の範囲】
【請求項１】
コップ型の管端保護用キャップであり、当該キャップの口部に相当する部位を管中心側、底部に相当する部位を管端側にして管の端部外側を覆うように装着する管端保護用キャップであって、以下の［１］〜［３］のいずれかの構造によって装着力が強く、かつ、取り外しが容易なことを特徴とする管端保護用キャップ。
［１］キャップの周壁に予め口部から底部に向けて切れ目を入れておき、当該切れ目を覆うように周壁の外側にシールテープを貼る。
［２］キャップの周壁に、その口部から底部にかけて人力で外側に引っ張ることによって切断可能なように当該部分の厚みを薄くする。
［３］キャップの周壁に、その口部から底部にかけて人力で外側に引っ張ることによって切断可能なようにミシン目を入れる。
【請求項２】
コップ型の管端保護用キャップであり、当該キャップの底部に相当する部位を管中心側、口部に相当する部位を管端側にして管の端部内側に入り込むように装着する管端保護用キャップであって、以下の［１］〜［３］のいずれかの構造によって装着力が強く、かつ、取り外しが容易なことを特徴とする管端保護用キャップ。
［１］キャップの周壁に予め口部から底部に向けて切れ目を入れておき、当該切れ目を覆うように周壁の外側にシールテープを貼る。
［２］キャップの周壁に、その口部から底部にかけて人力で外側に引っ張ることによって切断可能なように当該部分の厚みを薄くする。
［３］キャップの周壁に、その口部から底部にかけて人力で外側に引っ張ることによって切断可能なようにミシン目を入れる。
【請求項３】
前記コップの材質がプラスチックであることを特徴とする請求項１または２記載の管端保護用キャップ。
【請求項４】
管の端部をべべル加工あるいはネジ加工を施し、かつ請求項１乃至３のいずれか１項に記載の管端保護用キャップを装着したことを特徴とする管。
【請求項５】
管内に気化性防錆剤を封入し、請求項１乃至３のいずれか１項に記載の管端保護用キャップを装着したことを特徴とする管。
【発明の詳細な説明】
【０００１】
【発明の属する技術分野】
本発明は、ボイラチューブや一般配管等を始めとした各種管材のネジ部保護を始めとしたその梱包時などに使用する管端保護用キャップに関するものである。
【０００２】
【従来の技術】
ボイラチューブや一般配管等を始めとした各種管材においてその管端にネジ加工をした際のネジ部やベベル加工を施した場合の開先部の保護、あるいは、管内に揮発性の防錆剤を封入した際の気密性保持を目的として管端に管端保護用キャップを装着する。
従来管の保護キャップとして特許文献１に記載されているような管端保護キャップがあった。
【０００３】
【特許文献１】
実公昭６２−１４４７４号公報
【０００４】
当保護キャップは、金属製で、管の径に合わせてキャップの径の拡縮が可能なようにキャップの環状フランジ部に切れ込みを形成し、かつ拡縮緊締具を設けたことを特徴とするキャップである。
あるいは、樹脂製でコップ型単純構造の消耗型キャップがある。
【０００５】
【発明が解決しようとする課題】
上記の前者のようなキャップでは、構造が複雑で重量も大きく、取り付け取り外しに時間を要するしコストも高く、また再使用するので、現場で取り外した後それを保管するスペースも考慮しなければならない。
【０００６】
一方、後者のキャップは内面の気密性保持や脱落防止を考慮しているため、しっかり管に装着されており、それを取り外す場合は、作業者が現場でペンチ等で捻りながら長時間を要し取り外しを行っていた。そのため、作業効率を大幅に低下させていた。逆に装着強度が弱いと運搬時などに外れたり、あるいは、密閉度が悪く管内に埃が入ったりし、あるいは、鋼管の場合、気化性の防錆剤を封入する場合もあり、その場合、ある程度密閉度がないと、すぐ防錆剤が漏洩してしまう。
【０００７】
本発明の目的は、これらの問題を解決するものであって、管に装着している時は、しっかり装着され、途中の運搬時に簡単に外れることなく、また、ある程度の管内を密閉することもできる管端保護用キャップが望まれていた。
【０００８】
【課題を解決するための手段】
本発明者らの検討の結果、内面あるいは外面キャップに、内面の気密性保持及び脱落防止性を持たせるための強度を持ち、かつ、道具なしで人力で取り外し易い構造としたものである。
【０００９】
即ち、本発明は上記知見に基づいてなされたものであり、その要旨とするところは、以下のとおりである。
（１）コップ型の管端保護用キャップであり、当該キャップの口部に相当する部位を管中心側、底部に相当する部位を管端側にして管の端部外側を覆うように装着する管端保護用キャップであって、以下の［１］〜［３］のいずれかの構造によって装着力が強く、かつ、取り外しが容易なことを特徴とする管端保護用キャップ。
［１］キャップの周壁に予め口部から底部に向けて切れ目を入れておき、当該切れ目を覆うように周壁の外側にシールテープを貼る。
［２］キャップの周壁に、その口部から底部にかけて人力で外側に引っ張ることによって切断可能なように当該部分の厚みを薄くする。
［３］キャップの周壁に、その口部から底部にかけて人力で外側に引っ張ることによって切断可能なようにミシン目を入れる。
【００１０】
（２）コップ型の管端保護用キャップであり、当該キャップの底部に相当する部位を管中心側、口部に相当する部位を管端側にして管の端部内側に入り込むように装着する管端保護用キャップであって、以下の［１］〜［３］のいずれかの構造によって装着力が強く、かつ、取り外しが容易なことを特徴とする管端保護用キャップ。
［１］キャップの周壁に予め口部から底部に向けて切れ目を入れておき、当該切れ目を覆うように周壁の外側にシールテープを貼る。
［２］キャップの周壁に、その口部から底部にかけて人力で外側に引っ張ることによって切断可能なように当該部分の厚みを薄くする。
［３］キャップの周壁に、その口部から底部にかけて人力で外側に引っ張ることによって切断可能なようにミシン目を入れる。
【００１１】
（３）前記コップの材質がプラスチックであることを特徴とする前記（１）または（２）記載の管端保護用キャップ。
【００１２】
（４）管の端部をべべル加工あるいはネジ加工を施し、かつ前記（１）乃至（３）のいずれかに記載の管端保護用キャップを装着したことを特徴とする管。
【００１３】
（５）管内に気化性防錆剤を封入し、前記（１）乃至（３）のいずれかに記載の管端保護用キャップを装着したことを特徴とする管。
【００１４】
【発明の実施の形態】
以下、図によって本発明を説明する。
図１は、本発明の従来のキャップ１と本発明の実施例のキャップ２を示したものである。（ａ）は、従来の外側用管端保護用キャップ１である。コップ型をしており、図２のように、キャップ口部Ａが管中心側にキャップ底部Ｂが管端側になるように管３の継ぎ手のためにネジ加工した管端部を覆うコップ型のキャップを嵌め込むものである。図中９はネジ継手である。キャップを嵌め込む時は、管端部にしっかり装着されるようにハンマーなどで打ち込んで装着している。そしてこれを現場などでキャップを外す時には、従来、作業者がペンチなど道具を使って捻るなどしてかなりの力を必要とし、かつ時間を要していた。
【００１５】
それに対し本図（ｂ）は、本発明の実施例を示す管端保護用キャップ２である。このキャップ２には、予めその周壁に図中破線のように口部Ａから底部Ｂにかけて切れ目４を入れておき、その上からシールテープ５を張っておくものである。そして現場で取り外す時は、シールテープ５を剥がすだけであとはキャップを（ｃ）に示すように切れ目６によって少し広げると簡単にキャップを管３から外すことができる。
【００１６】
図３は本発明の他の実施例である。図３では一点鎖線のようにミシン目７を入れておくものである。この方法では、シールテープを必要とせず、運搬時は固定され、取り外し時にはミシン目を切り裂き、容易に人力で道具を必要とせずキャップを取り外し可能である。
【００１７】
図４は、また別の実施例である。一点鎖線の部分は他の材質厚みよりもごく薄くした薄線部８を形成しててあり、その部分を内側あるいは、外側に引っ張ることによって簡単にその部分が切断し、キャップを広げることができるようにしたものである。
【００１８】
以上の例は、管端の外側にキャップを装着したものであるが、本発明はこのような例に限らず、上記キャップを管端内側に入り込ませて装着させてもよい。この場合は、キャップ底部相当部が管中心側に、口部相当部が管端に来るようにセットするのがよい。
【００１９】
以上のようにキャップは切れ目をいれて広げたりするので、剛体ではなく容易に広がるある程度柔軟性のある材質がよい。また逆に一旦装着すると簡単にはとりはずれない強度も持ち合わせる材質である必要がある。その観点からキャップの材質としてプラスチック製のものが適している。
【００２０】
以上、これら本発明による管端保護用キャップは、取り付け後は、容易に外れることはなく、かつ、いざ取り外しが必要な時は、人力で道具を必要とせず短時間で取り外すことができる。
これらのキャップはそれを管端部に装着することによって管端のネジ部やベベル加工部等を保護することはもちろん、ある程度の密閉度も確保できるので、内面へのほこりの進入防止にもなるし、更に、鋼管の場合これらのキャップは管内に防錆等のための気化性防錆剤等を封入することがあり、この場合も有効である。
【００２１】
【実施例】
図２に示すように、保護すべき管１として、６５Ａ配管用炭素鋼鋼管のネジ付き材を用意して、そのネジ部に本発明によるキャップを切れ目部を入れその上にシールテープ５を貼ったキャップ２を管端に装着した。
その結果、従来の切れ目なしキャップと同等に運搬途中も脱落することもなく、ネジ部をしっかり保護できることを確認できた。
その一方、従来のキャップは道具なしでは外すことが出来ず、その取り外しには数分の時間を要していたが、本発明によるキャップでは、シールテープを人が手で剥がしてキャップを取り外すのに数十秒で外すことが出来、作業性が著しく向上した。
【００２２】
【発明の効果】
管の端部の保護用として本発明によるキャップを使用することにより、従来通りの保護機能を担保しつつ、取り外し時間を大幅に短縮し、作業効率を著しく上げることが出来た。
【図面の簡単な説明】
【図１】従来の簡単保護キャップと本発明による保護キャップの一実施例を示した図。
【図２】本発明保護キャップを管に取り付けた状態を示す図。
【図３】本発明によるキャップの別の実施例を示す図。
【図４】本発明によるキャップのほかの実施例を示す図。
【符号の説明】
１：従来のキャップ
２：本発明のキャップ
３：鋼管
４：切れ目
５：シールテープ
６：切れ目
７：ミシン目
８：薄線部
９：ネジ継手
Ａ：キャップ口部
Ｂ：キャップ底部
【図１】
2004144176.tif 000003
【図２】
2004144176.tif 000004
【図３】
2004144176.tif 000005
【図４】
2004144176.tif 000006